【手続補正書】
【提出日】平成17年10月31日(2005.10.31)
【手続補正１】
【補正対象書類名】明細書
【補正対象項目名】特許請求の範囲
【補正方法】変更
【補正の内容】
【特許請求の範囲】
【請求項１】  放射線のイメージングのための装置であって、
放射線検出器セルのアレイを有しているイメージング・デバイスをそれぞれ含む複数のタイルと、
複数の前記タイルをそれぞれ支持している二つまたはそれ以上のモジュールと、
前記少なくとも一つのモジュールを支持しているモジュール支持構造とを含み、
前記少なくとも一つのモジュールが前記支持構造に対して取外し可能なように取り付けられることを特徴とする装置。
【請求項２】  請求項１に記載の装置において、
前記タイルが前記少なくとも一つのモジュールに対して取外し可能なように取り付けられることを特徴とする装置。
【請求項３】  請求項１または請求項２に記載の装置において、
前記イメージング・デバイスが放射線検出器セルの二次元アレイを有することを特徴とする装置。
【請求項４】  請求項１乃至３の何れかに記載の装置において、
前記少なくとも一つのモジュールがタイルの二次元アレイを支持することを特徴とする装置。
【請求項５】  請求項１乃至４の何れかに記載の装置において、
前記少なくとも一つのモジュールがボードを備え、前記ボードはその第１の面上に、タイルの装着位置のアレイを含み、各装着位置は前記タイル上の対応しているタイル接点に接触するための装着位置接点の構成を含むことを特徴とする装置。
【請求項６】  請求項１乃至５の何れかに記載の装置において、
前記ボードが多層プリント基板であることを特徴とする装置。
【請求項７】  請求項６または請求項７に記載の装置において、
前記ボードが細長いボードであり、二つまたはそれ以上の列のタイルを支持するための二つまたはそれ以上の列の装着位置を含む装置。
【請求項８】  請求項５乃至７の何れかに記載の装置において、
前記ボードが前記第１の面上に、前記タイルで埋められていない回路領域を有していることを特徴とする装置。
【請求項９】  請求項８に記載の装置において、
前記ボードが、その一端に隣接して、前記第１の面上に、前記タイルで埋められていない回路領域を有していることを特徴とする装置。
【請求項１０】  請求項８または請求項９に記載の装置において、
前記回路領域が、前記イメージング・デバイスへのアクセスおよび前記イメージング・デバイスからの信号の出力を制御するための制御回路を含むことを特徴とする装置。
【請求項１１】  請求項１０に記載の装置において、
前記第１の面とは反対側の、前記ボードの面上に回路をさらに含むことを特徴とする装置。
【請求項１２】  請求項１０または請求項１１に記載の装置において、
導電性トラックが前記装着位置接点を前記回路に対して接続していることを特徴とする装置。
【請求項１３】  請求項１２に記載の装置において、
前記回路および前記導電性トラックがタイルを第１のクラスタに電子的にグループ化するように配置され、前記第１のクラスタの前記タイル上のイメージング・デバイスが直列に読み出されることを特徴とする装置。
【請求項１４】  請求項１３に記載の装置において、
前記第１の電子クラスタが第２の電子クラスタの中に電子的にグループ化され、前記第２の電子クラスタが直列に読み出される一つまたはそれ以上の第１の電子クラスタを含むことを特徴とする装置。
【請求項１５】  請求項１４に記載の装置において、
複数の前記第２クラスタを並列に読み出すように構成されていることを特徴とする装置。
【請求項１６】  請求項１４または請求項１５に記載の装置において、
前記第１のクラスタのどれが前記第２のクラスタに対して組み合わされているかを判定するための電子スイッチ回路を含むことを特徴とする装置。
【請求項１７】  請求項１６に記載の装置において、
前記スイッチが前記第１の面とは反対側の前記ボードの面上に装着されていることを特徴とする装置。
【請求項１８】  請求項１６または請求項１７に記載の装置において、
前記スイッチが前記第１のクラスタの選択的非活動化を提供するように配置されていることを特徴とする装置。
【請求項１９】  請求項１乃至１８の何れかに記載の装置において、
前記イメージング・デバイスのタイルが、
前記イメージング・デバイスおよびマウントを含み、前記イメージング・デバイスのイメージ検出面が前記マウントの装着面に関して傾斜しており、前記装着面が前記少なくとも一つのモジュール上のタイルの装着位置において対応している装着位置接点と相互接続可能なタイルの電気的接点を備えることを特徴とする装置。
【請求項２０】  請求項１９に記載の装置において、
前記少なくとも一つのモジュールが、前記イメージ検出器面の傾斜に対して補正するために少なくとも部分的に傾斜していることを特徴とする装置。
【請求項２１】  請求項１９または請求項２０に記載の装置において、
前記イメージング・デバイスが、放射線に感じる一つまたはそれ以上の検出層と、一つまたはそれ以上の読出し層とを含み、前記一つまたはそれ以上の検出層と、前記一つまたはそれ以上の読出し層とが前記読出し層に対してほぼ平行である前記一つまたはそれ以上の検出器層の一つまたはそれ以上のイメージ検出面と一緒に結合されていることを特徴とする装置。
【請求項２２】  請求項２１に記載の装置において、
前記検出層が少なくとも二つのエッジ上で前記読出し層を超えて延びており、さらに一つのエッジが前記読出し層と前記マウントとの間のワイヤ接続を提供することを特徴とする装置。
【請求項２３】  請求項１９乃至２２の何れかに記載の装置において、
前記イメージング・デバイスと前記マウントとの間にくさびを備え、前記イメージング・デバイスの前記イメージ検出面と前記マウントの前記装着面との間の角度を維持することを特徴とする装置。
【請求項２４】  請求項１乃至２３の何れかに記載の装置において、
前記少なくとも一つのモジュールが細長いモジュールであり、前記支持構造が互いに隣のものと整列されている前記モジュールの一次元配列を支持することを特徴とする装置。
【請求項２５】  請求項２４に記載の装置において、
隣接しているモジュールの前記イメージング・デバイスが互いに機械的に接触していることを特徴とする装置。
【請求項２６】  請求項２４に記載の装置において、
前記各モジュールが平らなボードを含み、隣接しているモジュールが第１の方向に、そして反対の方向に交互に配置され、前記第１および反対の方向が前記ボードの面に対してほぼ垂直であることを特徴とする装置。
【請求項２７】  請求項１乃至２７の何れかに記載の装置において、
インターフェース回路を含むインターフェース・ボードをさらに備え、前記少なくとも一つのモジュールが前記インターフェース・ボードに対して電気的に接続されていることを特徴とする装置。
【請求項２８】  請求項２７に記載の装置において、
前記インターフェース回路が複数の前記少なくとも一つのモジュールに対してそれぞれのモジュールからの出力を多重化するための回路を含むことを特徴とする装置。
【請求項２９】  請求項１乃至２８の何れかに記載の装置において、
イメージング・カセットを含むことを特徴とする装置。
【請求項３０】  請求項２９に記載の装置において、
前記イメージング・カセットが前記イメージング・カセットを外部プロセッサに対して接続するための外部コネクタを備えることを特徴とする装置。
【請求項３１】  請求項２９または請求項３０に記載の装置において、
前記カセットがハウジングを備え、その支持構造が前記ハウジングと一体になっていることを特徴とする装置。
【請求項３２】  請求項２９または請求項３０に記載の装置において、
前記カセットがハウジングを備え、その支持構造が前記ハウジング内に含まれていることを特徴とする装置。
【請求項３３】  請求項２９乃至３２の何れかに記載の装置において、
前記カセットがＸ線透過面を有しているハウジングを含むことを特徴とする装置。
【請求項３４】  請求項１乃至３３の何れかに記載の装置および制御用エレクトロニクスおよび／または前記装置から出力される信号を処理するためのイメージ・プロセッサを備えるイメージング・システム。
【請求項３５】  請求項１乃至３３の何れかに記載の装置の中で使うためのモジュールであって、タイルのアレイを装着するために、各タイルが放射線検出器セルのアレイを有し、そしてその装着面上に複数のタイル接点を有していて、前記モジュールは、
第１の面上に、タイルの装着位置のアレイを有していて、各装着位置がタイル上の対応しているタイル接点に接触するための装着位置接点の構成および前記タイルの前記装着位置において前記タイルの取外し可能な装着を可能にする手段を含んでいるボードと、
前記タイルの装着位置に装着される時に、それぞれのタイルに対するアクセスおよびそれぞれのタイルからの信号の出力を制御するための回路と、
前記装着位置の接点から前記回路への電気的接続と、
複数の前記モジュールに対する支持構造上に前記モジュールを取外し可能なように装着するための手段とを含むことを特徴とするモジュール。